(57)【要約】【課題】  本発明の課題は、商品保持を確実に行いながら、且つ商品取り出しをより容易に行うことができる包装体を提案することにある。【解決手段】  本発明は、中央に窓を開口した第１板体と、 同様に中央に窓を開口した第２板体と、これらいずれかの前記窓より大きい保持縁部が形成された商品保持体と、を有し、前記商品保持体の保持縁部が前記第１板体と第２板体とに挟持され、前記窓から商品保持体の一部が露出するように、前記第１板体と第２板体を重ね合わせて構成し、前記窓の外周縁から重ねた前記第１板体および前記第２板体の外周縁に連続する、間欠的に切断された切取線を形成して前記窓の外周縁と前記第２板体の外周縁と切取線で囲まれた切取片を形成するとともに、該切取片の一部または全部を切り取ることで前記窓を外側に開放可能とする包装体として上記課題を解決する。【選択図】図５
2007186245.tif 000002
【特許請求の範囲】
【請求項１】
中央に窓を開口した第１板体と、
同様に中央に窓を開口した第２板体と、
これらいずれかの前記窓より大きい保持縁部が形成された商品保持体と、を有し、
前記保持縁部が前記第１板体と第２板体とに挟持され、前記窓から商品保持体の一部が露出するように、前記第１板体と第２板体を重ね合わせて構成し、前記窓の外周縁から重ねた前記第１板体および前記第２板体の外周縁に連続する、間欠的に切断された切取線を形成して前記窓の外周縁と前記第２板体の外周縁と切取線で囲まれた切取片を形成するとともに、該切取片の全部または一部を切り取ることで前記窓を外側に開放可能とすることを特徴とする包装体。
【請求項２】
請求項１記載の包装体であって、
前記商品は板状体であり、商品保持体は該商品の表面及び裏面に貼付したフィルムであることを特徴とした包装体。
【請求項３】
請求項１記載の包装体であって、
該包装容器はさらに前記切取片の一方の面をカバーするように前記第２板体に重ねた第３板体を有することを特徴とする包装体。
【発明の詳細な説明】
【技術分野】
【０００１】
本発明は、メモリチップをはじめとした容積の小さい商品を包装するための包装体であって、側面を切り欠くことにより、簡単に商品を取り出せることができる包装体に関する。
【背景技術】
【０００２】
商品が小さい場合、商品の輸送や陳列のため、商品より大きい包装体に封入されるが、こういった商品の包装体として、商品を外に見せるために透明の塩ビシートを立体的に成型した表のカバーと裏の台紙とで商品を挟んで保持するいわゆるブリスターパックが包装体として主流であった。
【０００３】
一方、ブリスターパックは塩ビシートと台紙との間で接着しなければならないが、両者の接着は強すぎれば購買者が商品を取り出す際に苦労するし、弱すぎれば輸送や陳列時に商品が脱落してしまう可能性があり、調整が難しいという問題があった。
【０００４】
これを解決する手段として、例えば次の先行技術が存在する。
【０００５】
【特許文献１】特願２００２−２１３９８９
【特許文献２】特願２００３−３４３５８
【０００６】
これらの包装体はいずれもブリスターパックと台紙との結合方法を発明の課題とした発明であって、商品保持の確実性と商品取り出しの容易性を両立させることを目的としている。
【発明の開示】
【発明が解決しようとする課題】
【０００７】
しかしながら、両者とも二重になった台紙を開いてブリスターパックを分離させなければならない包装体であり、商品の取り出し作業をより容易化するために改良の余地があった。
【０００８】
そこで本発明の課題は、きわめて簡単な包装作業で商品を確実に保持することができ、且つ商品取り出しをより容易に行うことができる包装体を提案することにある。
【課題を解決するための手段】
【０００９】
本発明の包装体は、中央に窓を開口した第１板体と、 同様に中央に窓を開口した第２板体と、これらいずれかの前記窓より大きい保持縁部が形成された商品保持体と、を有し、前記商品保持体の保持縁部が前記第１板体と第２板体とに挟持され、前記窓から商品保持体の一部が露出するように、前記第１板体と第２板体を重ね合わせて構成し、前記窓の外周縁から重ねた前記第１板体および前記第２板体の外周縁に連続する、間欠的に切断された切取線を形成して前記窓の外周縁と前記第２板体の外周縁と切取線で囲まれた切取片を形成するとともに、該切取片の全部または一部を切断することで前記窓を外側に開放可能とする構造として上記課題を解決している。
【００１０】
また、本発明における前記商品は板状体であって、商品保持体を該商品の表面及び裏面に貼付したフィルムによって形成することができる。
【００１１】
さらに、包装体はさらに前記切取片の一方の面をカバーするように前記第２板体に重ねた第３板体を有する構造とすることもできる。
【発明の効果】
【００１２】
本発明の包装体によれば、開口した窓に商品を置き、板体を重ねるだけで簡単に包装作業を完了させることができるとともに、台紙の側片に形成される切取片をミシン目に沿って切り取ることにより、商品を保持する開口窓の側辺が開き、この部分から商品をスライドして簡単に取り出すことができる。特に取り出し作業の際は商品を表面および裏面の窓から両側からつまんで保持することができるために確実に作業を行うことができる。
【００１３】
また、商品保持体は該商品の表面及び裏面に貼付したフィルムとすれば、嵩張ることなく商品を包装することができる。
【００１４】
さらに、前記切取片の一方の面をカバーするように前記第２板体に重ねた第３板体を有する構造とすることにより、第１板体及び第２板体に形成された切取片を重ねて保持することができ、店頭陳列時に切取片が切断されてしまうなどのいたずらを防止することができる。
【発明を実施するための最良の形態】
【００１５】
（第一実施形態）
本発明の実施の形態を図１乃至図４に従って説明する。図１は本発明の第一実施形態にかかる包装体の斜視図、図２は同実施形態の包装体の展開図、図３及び図４は同実施形態の包装体の組立説明図である。
【００１６】
本実施形態の包装体Ａは、メモリスティック(商標名)・コンパクトフラッシュ（商標名）などコンピュータやデジタルカメラの外部記憶装置として使われる板状の商品Ｘを包装するための包装体である。
【００１７】
図１に示すように、包装体Ａは、所定の厚みを有する厚紙によって形成される第１板体１、第２板体２、第３板体３を重ねて構成した四角形の板状の包装体であって、中央部に第１板体１と第２板体２に貫通して形成された窓１ａ、２ａを有する構造となっている。そして、この表面側の窓１ａから商品Ｘが覗く構造となっている。また、包装体Ａの上端には、商品陳列時の吊下用タブ５が形成されている。
【００１８】
商品Ｘは、商品保持体たる透明フィルム６(６ａ、６ｂ)を着脱可能に表面と裏面に貼り付けており、該透明フィルム６は商品Ｘより大きく、その周縁を保持縁部６ｍとして第１板体１及び第２板体２間に挟み込んで、商品Ｘが窓１ａ、２ａから脱落することを防止している。
【００１９】
また、包装体Ａの正面には、窓１ａ、２ａの外周縁から（本実施形態の場合は四角い窓１ａ、２ａの角部から）第１板体１および第２板体２の外周縁に連続するように、間欠的に切断されたミシン目が２本形成されており、それぞれが第１切取線４ａ及び第２切取線４ｂとなる。そして、前記窓１ａ、２ａの外周縁と第１及び第２板体１、２の外周縁とこれら切取線４ａ、４ｂで囲まれた部分が切取片４となる。
【００２０】
次に図２を用いて、包装体Ａの構造を説明する。同図(a)は展開した包装体Ａの表面を、同図(b)は展開した包装体Ａの裏面を示す。これら図に示すように、包装体Ａは下から第２板体２、第１板体１、第３板体３の順に、それぞれ第１折曲線Ｌ１、第２折曲線Ｌ２を介して連続してた一連の構造を有する。また、展開した包装体Ａの、第１板体１及び第２板体１の裏面及び第３板体３に連続する吊下用タブ５の裏面には、互いに接合することにより接着される接着剤が塗布され（例えば、天然ゴム系瞬間接着剤）、同表面には商品包装用の印刷や商品の説明文等が印刷されている（図示せず）。
【００２１】
第１板体１及び第２板体２のそれぞれには、第１折曲線Ｌ１を対称線として線対称位置に窓１ａ、２ａが開口されており、また、第１切取線４ａ、第２切取線４ｂが形成されている。そして、両者を重ね合わせることにより、第１板体１に形成された切取片４−１と第２板体２に形成された切取片４−２とによって、表裏を合わせて一体となる切取片４が構成される。
【００２２】
また、第３板体３の上方には連続して吊下用タブの裏部５−３が形成されており、また、第２折曲線Ｌ２により折り曲げた際に対応する第２板体２の所定位置に吊下用タブの表部５−２が形成されており、両者を合わせることにより吊下用タブ５が形成される。なお、吊下用タブの表部５−２、裏部５−３とも、第２板体２及び第３板体３との境界線にはミシン目状の切断線５ａが形成されている。
【００２３】
図３及び図４を用いて、包装体Ａの組立方法を説明する。まず、図３(a)に示すように、板状の商品Ｘの表面及び裏面に、合せ面が低粘性の接着面となった透明フィルム６ａ、６ｂを貼り付けて商品Ｘを保持する。そして、このように包装が終了した商品Ｘを第１板体１の窓１ａに嵌め込むように位置決めする。この際、透明フィルム６の周縁は保持縁部６ｍとして窓１ａの周縁に重なった状態となる。
【００２４】
次に、図３(b)に示すように、第２板体２を第１折曲線Ｌ１をガイドとして折曲げ、第１板体１に重ねるように折り畳む。この際、接合面にはそれぞれ上述した接着剤が塗布されいるため、両者を接合することにより第１板体１と第２板体２は再分離不可能な状態で接着される。特に、切取片の表部４−１と裏部４−２も互いに接着されて、一体の切取片４が構成される。
【００２５】
もっとも、窓１ａ、２ａの縁部は透明フィルム６の保持縁部６ｍが互いの接着剤の接合を阻止するので、商品Ｘ自体は第１板体１及び第２板体２に再分離不可能な状態では接着されていない。
【００２６】
また、この際、第２板体２に切り抜かれた吊下用タブの表部５−２は他の第２板体２から残された状態で折り曲げられずに維持される。
【００２７】
図４(a)は、第１板体１と第２板体２とが重なった状態を示す。商品Ｘの裏面が第２枠体２の窓２ａに嵌め込まれて外側に覗く状態になっている。この状態で、第３板体３を折曲線Ｌ２をガイドとして折曲げ、第２板体２に重ねる。
【００２８】
この際、第２板体２の表面には接着剤が塗布されていないため、この部分で接着剤同士が接合することはないが、折り曲がらずに残った吊下用タブの表部５−２の裏面と第３板体３に連続して形成された吊下用タブの裏部５−３の裏面が面接し、両者の接着剤により吊下用タブ５を再分離不可能な状態で形成される。なお、吊下用タブ５が切り抜かれた第２板体２の開口部からも第１板体１の接着面が覗くが、第３板体３の裏面には接着剤が塗布されないため、両者が接着されることはない。
【００２９】
図４(b)は、上述のように第３板体３が接合されて完成された包装体Ａの斜視図を示す。同図に示す斜視図は包装体Ａの裏面を表すものであり、ちょうど図１の斜視図の反対側から見た斜視図となる。
【００３０】
以上のように、本実施形態の包装体Ａによれば、商品Ｘを透明フィルムの貼着作業と、第２板体２と第３板体３の２回の折曲作業で簡単に商品Ｘを包装することができ、商品を窓１ａから見せる状態で商品展示することができる包装体を構成することができる。
【００３１】
また、本実施形態の包装体Ａによれば、窓１ａから商品Ｘを透明フィルム６を介して展示することができる。特に、第１板体１及び第２板体２を所定の厚みのある厚紙により構成したので、板状の商品Ｘは窓１ａに嵌め込まれる状態となり、大きく包装体Ａの表面から突出することなく保持される。
【００３２】
また、第３板体３を第２板体２に重ねることにより切取片４も裏側からカバーすることになり、商品輸送時や陳列時に誤って切取片４がちぎり取られてしまうことを防止することができる。
【００３３】
図５は包装体Ａの開封作業の説明図である。図５を用いて、包装体Ａの開封手順を説明する。
【００３４】
図５(a)に示すように、商品を購入した需要者は、包装体Ａの吊下用タブ５を包装体Ａの本体との境界となるミシン目５ａを使って切除する。上述したとおり、第３板体３と第２板体２と接着は吊下用タブ５に負っていたため、吊下用タブ５を切り離すことにより、第３板体３は第２板体２から分離可能な状態となる。
【００３５】
このため、図５(b)に示すように、第３板体３は第２折曲線Ｌ２を軸として回動させることができ、第１板体１と第２板体２との側面に形成された切取片４の両面を露出させることができる。そして、需要者はこの切取片４の表面及び裏面を指で保持し捩じりながら引っ張ることにより、切取線４ａ、４ｂをガイドとして包装体Ａから切除することができる。このように切取片４を切り離した状態にあっては、窓１ａ、２ａの側辺が外部に開放され、商品Ｘが透明フィルム６とともに一部露出する状態となる。
【００３６】
そして、図５(c)に示すように、この時点で第３板体３は第２板体２から分離しているため、第２板体２の窓２ａも露出しており、需要者は表裏の窓１ａ、２ａから商品Ｘを透明フィルム６とともにつまんで開放された窓１ａ、２ａの側辺側に引き出すことにより、窓１ａ、２ａから取り出すことができる。この際、上述したとおり、接着剤の性質から保持フィルム６は第１板体１及び第２板体２に接着されていないため、円滑に引き出すことができる。
【００３７】
そして、最後に商品Ｘの表裏に貼られた透明フィルム６ａ、６ｂをはがすことで、商品Ｘの包装を解くことができる。
【００３８】
以上説明したとおり、本実施形態の包装体Ａによれば、吊下用タブ５の切除、切取片４の切除、商品Ｘの引き出し、透明フィルム６の剥離という４つの作業だけで簡単に商品Ｘを取り出すことができ、簡単に商品Ｘの包装を解くことができる。
【００３９】
（第二実施形態）
本発明の第二実施形態を、図６を用いて説明する。図６は本発明の第二実施形態にかかる包装体Ｂの展開図である。下から第２板体12、第１板体11、第３板体13をそれぞれ第１折曲線Ｌ11、第２折曲線Ｌ12を介して連続させ、吊下用タブ15(15-12、15-13)を形成している点および切取片14（14-11、14-12）を形成している点で第一実施形態と同様である。
【００４０】
しかしながら、本実施形態の包装体Ｂは、商品を保持する窓を２つ有しており、それぞれ第１板体11においては窓11ａ、11ｂが、第２板体12においては窓12ａ、12ｂが開口しており、２つの商品を保持することができる包装体となっている。
【００４１】
また、本実施形態の包装体Ｂは、切取片14を境界付ける切取線14ａ、14ｂもそれぞれ２本形成されるが、そのうち１本の切取線14ａ、14ａのみが窓11ａ、12ａの外周縁と第１板体11と第２板体12の外周縁と連続しているが、他の切取線14ｂ、14ｂは第１板体11と第２板体12の中途部で途切れている。このように、切取片14は、商品を窓11ａ、12ａを開放できればよく、必ずしも包装体Ｂ本体から完全に切除される必要はない。
【００４２】
なお、包装体Ｂの商品の包装作業及び商品の取り出し作業は、第一実施形態と同様に行われる。
【００４３】
（第三実施形態）
本発明の第三実施形態を、図７を用いて説明する。図７は本発明の第三実施形態にかかる包装体Ｃの展開図である。第一実施形態、第２実施形態と異なり、第１板体21及び第２板体22のみから構成される。
【００４４】
本実施形態の包装体Ｃは、第１板体21及び第２板体22にそれぞれ窓21ａ、22ａが形成され、さらに切取線24ａ、24ｂを境界とする切取片24（24-21、24-22）が形成される点において第一実施形態、第二実施形態と同様である。
【００４５】
しかしながら、包装体Ｃは第３板体を有さないため製造コストを低く抑えることができるほか、組み立てると第２板体22の窓22ａが露出し、商品の表裏を展示することができる。
【００４６】
なお、包装体Ｃの商品の取り出し作業は、第一実施形態と同様に行われる。
【００４７】
（他の実施形態）
以上、第一乃至第三実施形態として、本発明の包装体を具体的に説明したが、他に、商品を保持する保持体は必ずしも透明フィルムである必要はなく、商品が光を嫌うようなものである場合はアルミシートのようなものであってもよい。また、保持体はこのようなシート状のものである以外、例えば、真空成型された塩ビケースであったり、またビニールの袋体のようなものであってもよく、その材質、形状は問わない。
【００４８】
また、第一乃至第三実施形態に形成する窓は、いずれも四角形の窓として説明したが、商品の形状によっては円形や楕円形など、多様な形状を選択することができる。
【産業上の利用可能性】
【００４９】
本発明は、商品、特にサイズの小さい商品を輸送、陳列するために適した包装体として利用することができる。
【図面の簡単な説明】
【００５０】
【図１】本発明の第一実施形態にかかる包装体の斜視図である。
【図２】同実施形態の包装体の展開図である。
【図３】同実施形態の包装体の組立説明図である。
【図４】同実施形態の包装体の組立説明図である。
【図５】同実施形態の包装体の開封作業の説明図である。
【図６】本発明の第二実施形態にかかる包装体の展開図である。
【図７】本発明の第三実施形態にかかる包装体の展開図である。
【符号の説明】
【００５１】
Ａ、Ｂ、Ｃ  …  包装体
Ｘ  …  商品
１、11、21  …  第１板体
２、12、22  …  第２板体
３、13      …  第３板体
１ａ、２ａ、11ａ、11ｂ、12ａ、12ｂ、21ａ、22ａ  …  窓
４、14、24  …  切取片
４ａ、４ｂ、14ａ、14ｂ、24ａ、24ｂ  …  切取線
６  …  透明フィルム（商品の保持体）
【図１】
2007186245.tif 000003
【図２】
2007186245.tif 000004
【図３】
2007186245.tif 000005
【図４】
2007186245.tif 000006
【図５】
2007186245.tif 000007
【図６】
2007186245.tif 000008
【図７】
2007186245.tif 000009